(57)【要約】【課題】目地部を介しての放熱も抑制され、断熱性に優れた外断熱壁構造を提供する。【解決手段】建物外壁１の外面にシリコン系等の有機系弾性接着剤２が規定厚みに塗着され、タイル３が上下多段に張り付けられている。タイル３は、中空部３ａ内に発泡断熱材３ｂが充填されている。タイル３を１段分だけ積むと、その上に断熱性目地材４を重ね、この断熱性目地材４の上側にタイル３を１段分だけ積む。断熱性目地材４は上側のタイル３の重量により上下両側のタイル３に密着する。目地間隙にモルタル５を充填する。【選択図】図１
2005320779.tif 000002
【特許請求の範囲】
【請求項１】
複数の断熱性タイルが建物外壁に取り付けられ、該タイル間に目地部が設けられている外断熱壁構造において、該目地部に断熱性目地材を設けたことを特徴とする外断熱壁構造。
【請求項２】
請求項１において、該目地部の奥部に該断熱性目地材が設けられ、該目地部の前面側に仕上げ目地材が充填されていることを特徴とする外断熱壁構造。
【請求項３】
請求項１又は２において、該断熱性目地材は横目地に配置されており、且つ該断熱性目地材は複数個のタイルに跨って一連に延在する長尺物であることを特徴とする外断熱壁構造。
【請求項４】
請求項３において、該断熱性目地材は薄板状であり、少なくとも前記タイルの後縁から、該タイルの厚み方向の中間よりも前面側にわたって配置されていることを特徴とする外断熱壁構造。
【請求項５】
請求項４において、該断熱性目地材は上下のタイルに挟まれ、両タイルに密着状に接していることを特徴とする外断熱壁構造。
【請求項６】
請求項４又は５において、該断熱性目地材は発泡断熱材料よりなり、
前記断熱性タイルは、横方向に貫通した中空部を有する無機質のタイル本体と、該タイル本体の該中空部内に充填された発泡断熱材よりなり、該中空部内の発泡断熱材の前後方向幅と該断熱性目地材の前後方向幅とが略等しいことを特徴とする外断熱壁構造。
【請求項７】
請求項１ないし６のいずれか１項において、該断熱性目地材は低吸水性であることを特徴とする外断熱壁構造。
【請求項８】
請求項１ないし７のいずれか１項において、該タイルは有機系接着剤で建物外壁に張り付けられていることを特徴とする外断熱壁構造。
【発明の詳細な説明】
【技術分野】
【０００１】
本発明は建物外壁の外面に断熱性タイルを取り付けた外断熱壁構造に関する。
【背景技術】
【０００２】
建物外壁の外面に断熱性タイルを取り付けた外断熱壁構造が特開２００２−３０７８６号公報に記載されている。同号公報のタイルは、偏平な貫通孔よりなる中空部を有したものであり、中空部内に樹脂発泡体よりなる断熱材が挿入されている（第００１９段落）。このタイルは、上辺から上方に雄実が突設され、下辺には雌実が凹設された相抉り形状のものであり、壁面に取り付け施工する際には下段側タイルの雄実に対し上段側タイルの雌実が係合される。なお、同号のタイルは、裏面にアリ溝が設けられており（第００１６段落）、壁面に設けられた係止部に対し該アリ溝を係止させることにより壁面に取り付け施工される（第００３２段落）。タイルの縦目地にはモルタル等の目地材が充填される（第００３４段落）。
【特許文献１】特開２００２−３０７８６号公報
【発明の開示】
【発明が解決しようとする課題】
【０００３】
上記特開２００２−３０７８６号公報の外断熱壁構造にあっては、タイル自体には断熱性があるものの、目地部には断熱材が配材されていない。このため、目地部が熱橋となり、目地部からの放熱量が多くなるので、外壁の断熱性が不十分である。
【０００４】
本発明は、目地部を介しての放熱も抑制され、断熱性に優れた外断熱壁構造を提供することを目的とする。
【課題を解決するための手段】
【０００５】
本発明の外断熱壁構造は、複数の断熱性タイルが建物外壁に取り付けられ、該タイル間に目地部が設けられている外断熱壁構造において、該目地部に断熱性目地材を設けたことを特徴とするものである。
【０００６】
請求項２の外断熱壁構造は、請求項１において、該目地部の奥部に該断熱性目地材が設けられ、該目地部の前面側に仕上げ目地材が充填されていることを特徴とするものである。
【０００７】
請求項３の外断熱壁構造は、請求項１又は２において、該断熱性目地材は横目地に配置されており、且つ該断熱性目地材は複数個のタイルに跨って一連に延在する長尺物であることを特徴とするものである。
【０００８】
請求項４の外断熱壁構造は、請求項３において、該断熱性目地材は薄板状であり、少なくとも前記タイルの後縁から、該タイルの厚み方向の中間よりも前面側にわたって配置されていることを特徴とするものである。
【０００９】
請求項５の外断熱壁構造は、請求項４において、該断熱性目地材は上下のタイルに挟まれ両タイルに密着状に接していることを特徴とするものである。
【００１０】
請求項６の外断熱壁構造は、請求項４又は５において、該断熱性目地材は発泡断熱材料よりなり、前記断熱性タイルは、横方向に貫通した中空部を有する無機質のタイル本体と、該タイル本体の該中空部内に充填された発泡断熱材よりなり、該中空部内の発泡断熱材の前後方向幅と該断熱性目地材の前後方向幅とが略等しいことを特徴とするものである。
【００１１】
請求項７の外断熱壁構造は、請求項１ないし６のいずれか１項において、該断熱性目地材は低吸水性であることを特徴とするものである。
【００１２】
請求項８の外断熱壁構造は、請求項１ないし７のいずれか１項において、該タイルは有機系接着剤で建物外壁に張り付けられていることを特徴とするものである。
【発明の効果】
【００１３】
本発明の外断熱壁構造にあっては、タイルが断熱性タイルであり、且つ目地部に断熱性目地材を設けているので、目地部からの放熱も抑制され、外壁の断熱性が良好なものとなる。
【００１４】
請求項２の通り、目地部の奥部に断熱性目地材を設け、目地部の前面側に仕上げ目地材を充填することにより、断熱性目地材の太陽光や雨水などによる劣化が防止される。また、仕上げ目地材を用いることにより目地部の美観も向上する。
【００１５】
請求項３の通り、断熱性目地材を横目地に配置し、且つ複数個のタイルに一連に跨る長尺物としたときには、縦目地が空目地の場合、縦目地空間が断熱性目地材に寸断され、縦目地内の空気の対流を減少させ、縦目地の断熱性を高めることができる。
【００１６】
また、断熱性目地材を長尺物とすることにより、タイル張り作業時における断熱性目地材の施工能率が向上する。
【００１７】
請求項４の通り、断熱性目地材を薄板状とし、少なくともタイルの後縁からタイル厚み方向の中間よりも前面側にわたって配置することにより、断熱性が向上する。また、このように断熱性目地材を幅広とすることにより、タイルを下段から積み上げるようにして施工する場合、断熱性目地材上に積んだタイルの前倒が防止される。
【００１８】
請求項５のように、断熱性目地材を上下のタイルで挟み、上側タイルの重量により断熱性目地材を上下両タイルに密着させることにより、断熱性が向上する。
【００１９】
請求項６の通り、断熱性目地材は発泡断熱材料よりなり、前記断熱性タイルは、横方向に貫通した中空部を有する無機質のタイル本体と、該タイル本体の該中空部内に充填された発泡断熱材よりなり、該中空部内の発泡断熱材の前後方向幅と該断熱性目地材の前後方向幅とが略等しい構成とすることにより、タイル部分における断熱性特性と目地部における断熱性特性とが略同等となる。
【００２０】
請求項７の通り、断熱性目地材が低吸水性のものであると、目地部への雨水の浸透が抑制される。
【００２１】
請求項８の通り、有機系接着剤でタイル張りすることにより、モルタル張りしたときよりも断熱性が高くなる。また、この接着剤が弾性接着剤である場合には、躯体の変形やタイルの熱応力を緩和してひび割れや剥離を軽減することができる。また、異種のタイルを張った場合の熱膨張率の差を吸収することができる。
【発明を実施するための最良の形態】
【００２２】
以下、図面を参照して本発明についてさらに詳細に説明する。図１は本発明の実施の形態に係る外断熱壁構造の施工途中の斜視図、図２はこの外断熱壁構造の縦断面図である。
【００２３】
コンクリート壁等よりなる建物外壁１の外面にシリコン系等の有機系弾性接着剤２が規定厚みに塗着され、タイル３が上下多段に張り付けられている。タイル３は、この実施の形態では、長手方向に貫通した中空部３ａを有した角筒状の陶磁器製本体を有するものであり、この中空部３ａ内に発泡断熱材３ｂが充填されている。この発泡断熱材３ｂは、ウレタン等の発泡性原液を中空部３ａ内にて発泡させて形成されたものであってもよく、角棒状の発泡体を中空部３ａ内に挿入したものであってもよい。
【００２４】
なお、図示のタイル３の長手方向と直交方向の断面形状は正方形となっているが、長方形であってもよい。また、図示は省略するが、前面には凹凸状の模様が付けられている。
【００２５】
タイル３は、その長手方向を水平方向として下段側から順次に積み上げ且つタイル３の裏面を接着剤２に押し付けるようにして張り付け施工される。
【００２６】
図１の通り、この実施の形態ではタイル３を１段分だけ積むと、その上に断熱性目地材４を重ね、この断熱性目地材４の上側にタイル３を１段分だけ積む。断熱性目地材４は上側のタイル３の重量により上下両側のタイル３に密着する。以下、これを繰り返して最上段のタイル３を積んだ後、タイル３間の目地間隙に仕上げ目地材（この実施の形態では目地モルタル５）を充填する。
【００２７】
上記の断熱性目地材４は、タイル３の複数個（この実施の形態では約８個）分の長手方向長さのものである。具体的には、１８２０〜３０３０ｍｍで現場での取扱いを考慮すると特に１８２０ｍｍ程度が好ましい。左右に隣接するタイル３間の縦目地は、目地材料を充填しない空目地とされている。この縦目地の間隔は５ｍｍ以下程度が好ましく、特に１〜３ｍｍ程度が好ましい。縦目地の配列は馬目地となっており、通し目地とはなっていない。断熱性目地材４は縦目地に跨るようにしてタイル３の上側に配置される。
【００２８】
図２の通り、断熱性目地材４の前後方向幅Ｗは、タイル３の前後方向厚みＡの半分よりも大きい。断熱性目地材４は、タイル３の後縁から、タイル３の厚み方向の中間よりも前方側まで延在している。この実施の形態では、この断熱性目地材４の幅Ｗは、中空部３ａ内に充填された発泡断熱材３ｂの前後方向幅（中空部３ａの内寸）Ｂと略等しい。好ましくは、ＷはＢの８０〜１２０％程度とされる。
【００２９】
断熱性目地材４は、発泡スチレン、発泡ポリエチレン、発泡ウレタン等の樹脂発泡体よりなる。断熱性目地材４が充填される横目地の間隔は５〜２０ｍｍ特に５〜１５ｍｍ程度が好適である。
【００３０】
このように構成された外断熱壁構造にあっては、タイル３が発泡断熱材３ｂを有した断熱性タイルであり、且つ横目地に断熱性目地材４を設けているので、断熱性が良好である。特に、断熱性目地材４が十分な幅を有すると共に上下のタイル３に密着しており、横目地からの放熱が著しく少ない。さらに、この断熱性目地材４が縦目地を跨ぐように配置されているため、縦目地からの放熱も抑制される。なお、断熱性目地材４が長尺物であるため、その施工能率も良好である。
【００３１】
この断熱性目地材４の前面側に目地モルタル５が充填されているので、美観が良好であると共に、断熱性目地材４の太陽光や雨水などによる劣化も防止され、断熱性能を長時間維持することができる。
【００３２】
この断熱性目地材４の幅Ｗがタイル３の幅Ａの半分よりも大きいため、断熱性目地材４の上側にタイル３を積んだ際に、この断熱性目地材４上のタイル３が前倒せず、タイル張り作業効率が良い。なお、断熱性目地材４の幅Ｗと発泡断熱材３ｂの幅Ｂとが略同等であるため、タイル３部分と横目地部とで断熱性特性が略同等となる。
【００３３】
断熱性目地材４が樹脂発泡体よりなり、低吸水性であるため、横目地部への雨水の浸透も防止される。なお、断熱性目地材４としては、ＪＩＳ  Ａ９５１１で測定した２４時間吸水率が３以下特に１以下であるものが好適である。
【００３４】
この実施の形態では、タイル３を弾性接着剤２で張り付けているため、建物躯体の伸縮等に伴ってタイル３に加えられる応力が緩和され、タイル３のひび割れや剥離が防止される。また、弾性接着剤の熱伝導率はモルタルよりも低いので、その分、壁面の断熱性が向上する。
【００３５】
上記実施の形態は本発明の一例であり、本発明は図示以外の形態をもとりうる。例えば、タイル形状は図示以外であってもよい。
【図面の簡単な説明】
【００３６】
【図１】実施の形態に係る外断熱壁構造の斜視図である。
【図２】実施の形態に係る外断熱壁構造の縦断面図である。
【符号の説明】
【００３７】
１  外壁
２  弾性接着剤
３  タイル
３ａ  中空部
３ｂ  発泡断熱材
４  断熱性目地材
５  目地モルタル
【図１】
2005320779.tif 000003
【図２】
2005320779.tif 000004